(57)【特許請求の範囲】
【請求項１】
液体を吸収し得る吸収体がトップシートとバックシートとの間に介在されてなる吸収性物品において、
長手方向中間部に対して一方側の部分及び他方側の部分うち、一方側の部分における幅方向両側にそれぞれ付根部を有するように一対の紐部が設けられるとともに、他方側の部分における幅方向中央部に、表裏に貫通する紐挿通孔が設けられており、
裏面における前記紐挿通孔の近傍に、前記紐部を係止可能な係止部が設けられており、
一対の紐部を物品の表面側から紐挿通孔に通し、更に裏面側において係止部に係止することにより、紐部を有する長手方向一方側の部分を裁頭円錐筒状となしうるように構成されている、
ことを特徴とする吸収性物品。
【請求項２】
前記吸収体の長手方向両側に延出する、吸収体を有しないエンドフラップと、前記吸収体の幅方向両側に延出する、吸収体を有しないサイドフラップとを有し、
前記サイドフラップ及びエンドフラップの少なくとも一方が、前記紐部をなすように予め切り離されているか、又は使用時に前記紐部をなすように切り離すためのミシン目が形成されている、
請求項１記載の吸収性物品。
【請求項３】
前記エンドフラップ部に、前記紐挿通孔としてスリット状の紐挿通孔を形成するための直線状のミシン目が形成されている、請求項２に記載の吸収性物品。
【請求項４】
前記係止部は、前記裏面に設けられた粘着剤又はメカニカルファスナーの雄テープであり、その幅が前記一対の紐部の総幅よりも広い、請求項１から請求項３のいずれか１項に記載の吸収性物品。
【請求項５】
前記バックシートが液透過性シートからなるとともに、前記バックシートのうち前記長手方向一方側の部分が撥水性不織布により覆われており、前記バックシートのうち前記撥水性不織布で覆われていない部分及び前記撥水性不織布が前記裏面を形成している補助吸収性物品である、請求項１から請求項４のいずれか１項に記載の吸収性物品。
【発明の詳細な説明】
【技術分野】
【０００１】
本発明は、パッドタイプ、テープタイプ、パンツタイプ等の基本吸収性物品に併用して使用されるフラットタイプの補助吸収性物品として好適な、吸収性物品に関するものである。
【背景技術】
【０００２】
成人向けの排泄物吸収性物品（おむつ）としては、パッドタイプ、テープタイプ、パンツタイプ等の基本吸収性物品（アウターとも呼ばれる）の他に、これらと併用することを想定した、より小型のフラットタイプと呼ばれるものが提供されており、これらの組み合わせは特にケア施設等の介護現場において汎用されている。
すなわち、こう縮が発生している装着者等の場合、上記基本吸収性物品だけでは装着者の身体表面に対して適切にフィットさせることが困難なことがあり、そのような場合、フラットタイプの補助吸収性物品をじゃばら状等の適宜の形状に変形し、身体表面と基本製品との間の隙間（又は隙間が生じやすい部分）に挟んだり、特に装着者が男性のときには円錐状に丸めて陰茎に巻き付けたりする（以下、男性巻きともいう）、といった対応が取られている（例えば、特許文献１，２参照）。
【０００３】
他方、特許文献３では、補助吸収性物品である本体部１の４つの角部に角部面ファスナ４１を備える構造が示されている。そして、これら角部面ファスナ４１を基本吸収性物品の内側に止着することにより、着用者からの排泄物を受ける吸収パッドとして使用されるようになる。
これに伴い、この特許文献３の吸収性物品は、本体部１の長手方向の一端部において、エッジ部をバックシート側へ折り返して角部面ファスナ４１に止着し、この状態で、両側の角部をトップシート側へ折り返して角部面ファスナ４１により互いに止着することで、陰茎を包む男性巻きにして、男性用尿吸収物品として使用するというものである。
【先行技術文献】
【特許文献】
【０００４】
【特許文献１】特開２００６−２１２４５２号公報
【特許文献２】特開２００１−１２９０１２号公報
【特許文献３】特開２００７−２５９９２３号公報
【発明の概要】
【発明が解決しようとする課題】
【０００５】
しかし、特許文献３のような構造であっても、男性巻きの際の折り方が介護者により異なったり、或いは吸収後の膨らみが生じたりすることにより、陰茎に対して吸収性物品がズレたり外れたりすることがある。
そこで、本発明の主たる課題は、陰茎に対する吸収性物品のズレや外れを効果的に防止することにある。
【課題を解決するための手段】
【０００６】
上記課題を解決した本発明は次記のとおりである。
＜請求項１記載の発明＞
液体を吸収し得る吸収体がトップシートとバックシートとの間に介在されてなる吸収性物品において、
長手方向中間部に対して一方側の部分及び他方側の部分うち、一方側の部分における幅方向両側にそれぞれ付根部を有するように一対の紐部が設けられるとともに、他方側の部分における幅方向中央部に、表裏に貫通する紐挿通孔が設けられており、
裏面における前記紐挿通孔の近傍に、前記紐部を係止可能な係止部が設けられており、
一対の紐部を物品の表面側から紐挿通孔に通し、更に裏面側において係止部に係止することにより、紐部を有する長手方向一方側の部分を裁頭円錐筒状となしうるように構成されている、
ことを特徴とする吸収性物品。
【０００７】
（作用効果）
本発明の吸収性物品は、使用に際して、一対の紐部を物品の表面側からそれぞれ陰茎の両側を回して紐挿通孔に通し、更に裏面側に引き出して、裏面における係止部に係止することにより、紐部の付根部と紐挿通孔との中間を折り返し部として２つ折りし、陰茎を挟持した２つ折り状態で固定することができる。さらに、２つ折り状態で陰茎を挟持する際に、陰茎の大きさが相違しても、紐部の係止を調整することにより、陰茎挟持空間の大きさも調整可能であり、挟持による締め付け度合いの調整も可能である。よって、本発明によれば、装着者の動きや尿の吸収後の膨らみによっても、形状の変化がなく形状が安定化し、陰茎に対しての吸収性物品のズレや外れを効果的に防止できるようになる。また、係止部は裏面に設けられているため陰茎に接触することが無く、さらに係止部が陰嚢と反対側に位置するように装着すれば、係止部が装着者の肌に接触することもないため、着用感の悪化等も防止できる。
【０００８】
＜請求項２記載の発明＞
前記吸収体の長手方向両側に延出する、吸収体を有しないエンドフラップと、前記吸収体の幅方向両側に延出する、吸収体を有しないサイドフラップとを有し、
前記サイドフラップ及びエンドフラップの少なくとも一方が、前記紐部をなすように予め切り離されているか、又は使用時に前記紐部をなすように切り離すためのミシン目が形成されている、
請求項１記載の吸収性物品。
【０００９】
（作用効果）
紐部は別体のシート等を取り付けることにより形成しても良いが、このようにサイドフラップ及びエンドフラップの少なくとも一方を用いて形成する形態とすると資材の追加が必要無いため好ましい。特に、必要時にミシン目を切り離して紐部を形成する形態では、二つ折り以外の使用形態とする場合に、紐部を形成せずに通常の吸収性物品と同様に用いることができ、紐部が邪魔になったり、装着感を悪化させたりすることが無いという利点がある。
【００１０】
＜請求項３記載の発明＞
前記エンドフラップ部に、前記紐挿通孔としてスリット状の紐挿通孔を形成するための直線状のミシン目が形成されている、請求項２に記載の吸収性物品。
【００１１】
（作用効果）
このようなミシン目を設けることにより、必要時にのみミシン目を切り離して挿通孔を形成できるため、予め挿通孔を開口させておく形態と比べて、紐挿通孔が邪魔になったり、装着感を悪化させたりすることが無い。また、直線状のミシン目を切り離すだけであると、開口部形成に伴ってゴミが発生しないという利点もある。
【００１２】
＜請求項４記載の発明＞
前記係止部は、前記裏面に設けられた粘着剤又はメカニカルファスナーの雄テープであり、その幅が前記一対の紐部の総幅よりも広い、請求項１から請求項３のいずれか１項に記載の吸収性物品。
【００１３】
（作用効果）
このような係止部を設けることにより、紐部の固定だけでなく、係止部のうち紐部の周囲に露出する部分を、基本吸収性物品や下着（アウター）の表面に固定することができ、基本吸収性物品に対する吸収性物品のズレをも防止することができる。
【００１４】
＜請求項５記載の発明＞
前記バックシートが液透過性シートからなるとともに、前記バックシートのうち前記長手方向一方側の部分が撥水性不織布により覆われており、前記バックシートのうち前記撥水性不織布で覆われていない部分及び前記撥水性不織布が前記裏面を形成している補助吸収性物品である、請求項１から請求項４のいずれか１項に記載の吸収性物品。
【００１５】
（作用効果）
このような構造を採用することにより、係止部が陰嚢と反対側に位置するように装着した場合に、陰嚢に接する可能性のある部分が撥水性不織布に覆われ、尿による汚染だけでなく、素材に起因する陰嚢のカブレのおそれも少なくなる。
【発明の効果】
【００１６】
以上のとおり、本発明によれば、陰茎に対してのズレや外れを効果的に防止できる等の利点を有する吸収性物品となる。
【図面の簡単な説明】
【００１７】
【図１】補助吸収性物品の展開状態の表面側を示す平面図である。
【図２】補助吸収性物品の展開状態の裏面側を示す平面図である。
【図３】男性巻き状態の補助吸収性物品を示す平面図である。
【図４】男性巻き状態の補助吸収性物品を示す正面図である。
【図５】第２の形態の補助吸収性物品の展開状態の表面側を示す平面図である。
【図６】第３の形態の補助吸収性物品の展開状態の表面側を示す平面図である。
【図７】第３の形態の補助吸収性物品の展開状態の裏面側を示す平面図である。
【図８】第４の形態の補助吸収性物品の展開状態の表面側を示す平面図である。
【図９】第５の形態の補助吸収性物品の展開状態の裏面側を示す平面図である。
【図１０】第５の形態の補助吸収性物品を装着者に装着した状態を示す断面図である。
【発明を実施するための形態】
【００１８】
以下、本発明の一実施形態についてテープタイプ使い捨ておむつ等の基本吸収性物品と併用する補助吸収性物品の例を引いて詳説する。
（第１の形態）
図１及び図２は、補助吸収性物品１００の第１の形態を示している。この補助吸収性物品は、それぞれ不織布で形成されて透液性を有するバックシート１とトップシート２との間に、液体を吸収し得る吸収体３を介在させてなるフラットタイプの吸収性物品である。バックシート１及びトップシート２がそれぞれ透液性を有していることから、補助吸収性物品１００の両面において表裏方向の液透過が可能となっている。
【００１９】
吸収体３の周囲には、これらトップシート２及びバックシート１のはみ出し部分を融着したフラップ５が形成されている。吸収体３の長手方向両側に延出するフラップがエンドフラップであり、吸収体３の幅方向両側に延出するフラップがサイドフラップである。フラップ５は、トップシート２及びバックシート１のいずれか一方又は他のシートを継ぎ足すことにより吸収体３の周囲に形成してもよい。また、図示例のフラットタイプの補助吸収性物品１００は、両側部におけるトップシート２とバックシート１との間に細長状の弾性伸縮部材を前後方向に沿って伸長状態で固定しても良い。
【００２０】
特徴的には、この補助吸収性物品１００における長手方向中央に対して一方側（図１及び図２における上端側）寄りの幅方向両側のフラップ５の部分には長手方向に沿ってミシン目Ｍ１がそれぞれ形成されている。このミシン目Ｍ１は、吸収体３の端部から吸収体３の長手方向３分の１程度の位置まで伸びていて、この位置で直角に方向が変化してフラップ５の外端までこのミシン目Ｍ１は存在している。また、補助吸収性物品１００における長手方向中央に対して他方側（図１及び図２における下端側）の端部に位置するフラップ５の幅方向中央部には幅方向に沿うミシン目Ｍ２が形成されている。尚、これらミシン目Ｍ１及びミシン目Ｍ２は、一般的な製造装置における脚周りカッターを使用することで、フラップ５に容易に形成することができる。
【００２１】
この一方、補助吸収性物品１００の裏面（図示例ではバックシート１よりなる）におけるミシン目Ｍ２（紐挿通孔７）の近傍位置には、図２に示すように係止部８が設けられている。
【００２２】
使用に際しては、使用者が、補助吸収性物品１００の長手方向一方側における幅方向両側のミシン目Ｍ１をそれぞれ切り離すことで、この部分が紐状となり、長手方向一方側の部分における幅方向両側にそれぞれ付根部を有する紐部が一対形成される。また、補助吸収性物品１００の長手方向他方側の端部に位置するミシン目Ｍ２を同じく切り離すことで、この部分が表裏に貫通するスリット状の紐挿通孔７となる。そして、図３、図４及び図１０に示すように、一対の紐部６を物品の表面側からそれぞれ陰茎の両側を回して紐挿通孔７に通し、更に裏面側において係止部に係止することにより、紐部６の付根部と紐挿通孔７との中間を折り返し部として２つ折りし、陰茎ＩＫを挟持した２つ折り状態で固定することができる。この際、紐部６有する長手方向一方側の部分は、陰茎を包むように略裁頭円錐筒状となり、その円筒部分の頂部側が陰茎ＩＫの付根にフィットするようになり、この状態が維持される。また、紐挿通孔７を通過した一対の紐部６を例えば絞ることで、陰茎を入れるための丸みの大きさを調整することが可能となる。
【００２３】
この係止部８は、バックシート１の表面に粘着剤層を塗布することにより設置可能である。この係止部８は、紐部６の固定という観点からは両紐部６の届く範囲に配置すれば良いが、紐挿通孔７からの距離が離れると上述の２つ折り装着状態が緩むおそれがあるため、紐挿通孔７の近傍に設置する。また、紐部６が不織布面等の雄テープのフックに絡まる繊維層を有するものであれば、係止部８として、マジックテープ（登録商標）等のメカニカルファスナー（面ファスナー）の雄テープ（フック材）を採用することもできる。
【００２４】
次に、本実施形態に係る補助吸収性物品１００の作用を以下に説明する。
本実施形態の補助吸収性物品１００によれば、吸収体３の一部を陰茎に巻き付けるように丸めると共に、中央部分付近で二つ折り形状に屈曲した状態にするのに伴い、紐挿通孔７に挿入された一対の紐部６の先端側が係止部８により確実に固定されることで、この状態が維持できることになる。このような状態を維持できることから、陰茎に対する補助吸収性物品１００のズレや外れが効果的に防止できるようになる。
【００２５】
さらに、吸収体３の一部を丸める際に、陰茎の大きさが相違しても、紐挿通孔７への一対の紐部６の挿入程度を変えることで、丸めて形成した陰茎用の穴の大きさは調整可能であり、装着者の動きや尿の吸収後の膨らみによっても、形状の変化がなく形状が安定化する。他方、本実施形態の補助吸収性物品１００によれば、係止部８がバックシート１の表面に紐部６の先端側を固定することになるので、面ファスナ等の係止部８が陰茎に当たる虞がなく、着用感も良くなる。さらに係止部８が陰嚢と反対側に位置するように装着すれば、係止部８のうち紐部６の周囲に露出する部分を、基本吸収性物品や下着（アウター）の表面に固定することができ、基本吸収性物品に対する補助吸収性物品１００のズレをも防止することができる。もちろん、裏面における係止部８とは別の位置に、ズレ止め用として、粘着剤層又はメカニカルファスナー（面ファスナー）の雄テープを設けることもできる。
【００２６】
この一方、フラップ５にミシン目Ｍ１及びミシン目Ｍ２をそれぞれ形成して、一対の紐部６を吸収体３に分離可能にそれぞれ設けると共に、スリット状の紐挿通孔７を開放可能に設けることで、補助吸収性物品１００の製造時に必要な箇所にミシン目Ｍ１、目Ｍ２を設けるだけで、一対の紐部６や紐挿通孔７が簡易に形成できるようになる。さらに、紐部６が一対あれば、補助吸収性物品１００の長さ方向の一端側を丸めて筒状にした時にこの状態を維持し易くなる。また、紐挿通孔７を一つのみとすれば、一対ある紐部６を一つの係止部８で固着可能となるのに伴い、吸収体３の逆側の端部にこれら一対の紐部６を一回で固定できるようになる。
【００２７】
ここで、補助吸収性物品１００におけるトップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２８】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は適宜定めることができ、図示例では太もも内側に対するフィット性を高めるために、股間部Ｃ２を含む前後方向中間領域が脚周りに沿う括れた形状となっているが、長方形状等とすることもできる。
【００２９】
吸収体３における繊維目付け及び吸収性ポリマーの目付けは適宜定めることができるが、繊維目付けは２５０〜５００ｇ／ｍ2程度とするのが好ましく、また吸収性ポリマーの目付けは５０〜２５０ｇ／ｍ2程度とするのが好ましい。
【００３０】
バックシート１としては、トップシート２と同様の液透過性素材を好適に用いることができる。表裏両面が液透過性を有するタイプではなく、表面のみが液透過性を有し、裏面は液透過しないタイプとする場合は、バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。このような透湿性シートにおいても臭気の透過は抑制される。これらの液不透過性シートを用いる場合、パッドタイプ吸収性物品の裏面を布のような肌触りとするために、バックシートの外面に不織布等の外装シートを張り合わせたり、バックシートとして外面に不織布をラミネートしたラミネートシートを用いたりすることができる。これらの不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３１】
補助吸収性物品１００の寸法・形状は適宜定めることができるが、通常の場合、補助吸収性物品１００の幅Ｗ２は６０〜２５０ｍｍ程度とするのが好ましく、補助吸収性物品１００の長さＬ２は１５０〜５００ｍｍ程度とするのが好ましい。
【００３２】
図示例は補助用の吸収性物品であるため、表面の幅方向両側部に身体側に突出する立体ギャザーを有しないものとなっているが、補助用であるか否かに関係なく、立体ギャザーを設ける等、吸収性物品における公知の付加構成を採用することができる。
【００３３】
（第２の形態）
本実施形態では、図５に示すように、補助吸収性物品１００の両サイド部分のミシン目Ｍ１が、途中で直角に曲がらずに他端側まで伸びている。このため、本実施形態では一対の紐部６が、第１の形態の３倍程度である補助吸収性物品１００全体の長さより５ｍｍ程度短い長さとなる。つまり、このように一対の紐部６の長さを長くすることで、補助吸収性物品１００を使用する際の自由度がより高まることになる。
【００３４】
（第３の形態）
本実施形態では、図６及び図７に示すように、フラップ５の外端に直ちに向かう形で一対のミシン目Ｍ１が存在している。また、補助吸収性物品１００の他端側寄りの中央部分であって、吸収体３内の部分には、第１の形態と同一方向に延びるミシン目Ｍ２が形成されている。
【００３５】
これに伴い、一対の紐部６が短くなることから、本実施形態の係止部８を図７に示すように、第１の形態と逆となる補助吸収性物品１００の他端部ぎりぎりの箇所に配置することが考えられる。つまり、本実施形態のように一対の紐部６を短くする場合には、ミシン目Ｍ２による紐挿通孔７や係止部８をこれに合わせて配置することが考えられる。尚、係止部８は紐挿通孔７に重なるように配置しても良い。
【００３６】
（第４の形態）
本実施形態では、図８に示すように、一対のミシン目Ｍ１が第１の形態と同様に形成されているものの、ミシン目Ｍ２の替りに円形の紐挿通孔７が形成されている。このことから、紐挿通孔７に対する一対の紐部６の挿入がより容易になる。また、紐挿通孔７の周囲を除いた形で、本実施形態の吸収体３は形成されており、紐挿通孔７の両側部分に吸収体３からそれぞれ突出部３Ａが伸びている。
【００３７】
以上より、事後的に装着者等が紐挿通孔７を開放する必要が無くなるだけでなく、紐挿通孔７の周囲から吸収体３が紐挿通孔７内に漏れ出すこともなくなる。但し、吸収体３の漏れ出しが無ければ、この紐挿通孔７の周囲をも含めて吸収体３を配置しても良い。
【００３８】
（第５の形態）
本実施形態では、図９及び図１０に示すように、バックシート１のうち長手方向一方側の部分が液不透過性となる撥水性不織布９Ａにより覆われており、長手方向他方側の部分９Ｂは被覆されずに露出している。この撥水性不織布９Ａの長さ寸法は、適宜定めることができるが、通常の場合、最短で３ｃｍ程度であり、最長で補助吸収性物品１００の長さの二分の一程度とすることができる。
【００３９】
本実施形態によれば、補助吸収性物品１００を装着した際に、図１０に示すようにバックシート１の一対のミシン目Ｍ１間の部分が、陰茎ＩＫの下側に位置する陰嚢ＩＮに接することになる。この撥水性不織布９Ａが無いと、バックシート１を透過した尿が陰嚢ＩＮに付着して、陰嚢ＩＮがかぶれる等のスキントラブルが発生する虞があるものの、本実施形態によれば撥水性不織布９が尿をブロックしてスキントラブルが発生することがなくなる。尚、本実施形態の撥水性不織布９の替りに、不織布をシリコーン処理しても良く、或いは撥水性不織布９Ａに代えて、ポリエチレン等の液不透過性樹脂シートを貼付けても良い。
【００４０】
（その他）
紐挿通孔７は複数個所に設けることができる。例えば、図示例は、幅方向中央部に一か所設ける形態となっているが、これに代えて又はこれとともに、幅方向中央の両側に各少なくとも一つの紐挿通孔を幅方向中央に関して対称に設けることができる。
【産業上の利用可能性】
【００４１】
本発明は、パッドタイプ、テープタイプ、パンツタイプ等の基本吸収性物品に併用して使用される補助吸収性物品に好適なものであるが、バックシートとして液不透過性シートを用いることにより単体の吸収性物品として利用することも可能である。
【符号の説明】
【００４２】
１００…補助吸収性物品
１…バックシート
２…トップシート
３…吸収体
５…フラップ
６…紐部
７…紐挿通孔
８…止着材
Ｍ１…ミシン目
Ｍ２…ミシン目
【図１】
0005566712.tif 000002
【図２】
0005566712.tif 000003
【図３】
0005566712.tif 000004
【図４】
0005566712.tif 000005
【図５】
0005566712.tif 000006
【図６】
0005566712.tif 000007
【図７】
0005566712.tif 000008
【図８】
0005566712.tif 000009
【図９】
0005566712.tif 000010
【図１０】
0005566712.tif 000011